(57)【要約】      （修正有）【課題】縦型と横型の切り替え操作が簡単でデザイン的にも優れたショルダーバッグを提供する。【解決手段】ショルダーベルト３の一端３ａをバッグ本体２の外周の一つのコーナー（第１のコーナー）４ａに結合すると共に、ショルダーベルトの他端３ｂを第１のコーナーに対して対角線上に位置する他のコーナー（第２のコーナー）４ｂに結合し、更にショルダーベルトの中間部分をバッグ本体から離れない状態とするためのベルト保持部７を上記第１及び第２のコーナーの間に位置する別のコーナー（第３のコーナー）４ｃに設け、上記第１のコーナーと第３のコーナーの間及び第３のコーナーと第２のコーナーの間には開閉可能な開口部５を設けた。【選択図】図１
0003125699.tif 000002
【実用新案登録請求の範囲】
【請求項１】
バッグ本体の主面が縦と横の寸法が異なる長方形または長方形に類する形状であるショルダーバッグにおいて、ショルダーベルトの一端をバッグ本体の外周の一つのコーナー、すなわち第１のコーナーに結合すると共に、ショルダーベルトの他端を第１のコーナーに対して対角線上に位置する他のコーナー、すなわち第２のコーナーに結合し、更にショルダーベルトの中間部分をバッグ本体から離れない状態とするためのベルト保持部を上記第１及び第２のコーナーの間に位置する別のコーナー、すなわち第３のコーナーに設け、上記第１のコーナーと第３のコーナーの間及び第３のコーナーと第２のコーナーの間には開閉可能な開口部をバッグ本体の外周に沿って設け、上記第１のコーナーから第３のコーナーまでバッグ本体の外周に沿わせた状態としたショルダーベルトを上記ベルト保持部で保持することにより、第３のコーナーと第２のコーナーの間にショルダーベルトの肩掛け部が形成され、また第２のコーナーから第３のコーナーまでバッグ本体の外周に沿わせた状態としたショルダーベルトを上記ベルト保持部で保持することにより、第３のコーナーと第１のコーナーの間にショルダーベルトの肩掛け部が形成されるように構成されたショルダーバッグ。
【請求項２】
第３のコーナーに設けられるベルト保持部が、ショルダーベルトが挿通される貫通穴をバッグ本体に設けることによって形成されている請求項１記載のショルダーバッグ。
【請求項３】
第３のコーナーに設けられるベルト保持部が、ベルト通しをバッグ本体にブリッジ状に外付けすることによって形成されている請求項１記載のショルダーバッグ。
【請求項４】
ベルト保持部で保持されたショルダーベルトが肩掛け部の方向に必要以上に移動することを阻止するベルト止めを備えている請求項１乃至３のいずれかに記載のショルダーバッグ。
【請求項５】
開口部の開閉がスライドファスナーによって行われるように構成されている請求項１乃至４のいずれかに記載のショルダーバッグ。
【請求項６】
開口部が第１のコーナーと第２のコーナーの間に第３のコーナーを経て連続して形成されている請求項１乃至５のいずれかに記載のショルダーバッグ。
【考案の詳細な説明】
【技術分野】
【０００１】
この考案は、縦型、横型のいずれの状態でも使用できるショルダーバッグに関する。
【背景技術】
【０００２】
ショルダーバッグにはショルダーベルトを縦長本体の短辺の両側に取り付けて縦型としたものと、ショルダーベルトを横長本体の長辺の両側に取り付けて横型としたものとがあり、好みにより、あるいは時と場合により使い分けられている。両者を兼用できるようにするためには、長辺と短辺の両側に連結金具をそれぞれ設けて必要に応じてショルダーベルトを付け替えればよいが、そのための操作が煩わしく、デザイン的にも好ましくないため普及するに至っていない。
【０００３】
上記のようなショルダーベルトを付け替えるタイプのショルダーバッグに関する特許文献は見出せなかったが、背負い式、肩掛け式、手提げ式の三通りに使用できる鞄と、縦、横どちら向きでもベルトに取り付けられるバッグに関する公報を参考として例示する。
【特許文献１】実開平６−８２９１８号公報
【特許文献２】登録実用新案第３００８３８２号公報
【考案の開示】
【考案が解決しようとする課題】
【０００４】
この考案は上述の点に着目し、縦型と横型の切り替え操作が簡単でデザイン的にも優れたショルダーバッグを提供することを課題としてなされたものである。
【課題を解決するための手段】
【０００５】
上記の課題を達成するために、この考案では、バッグ本体の主面が縦と横の寸法が異なる長方形または長方形に類する形状であるショルダーバッグにおいて、ショルダーベルトの一端をバッグ本体の外周の一つのコーナー（以下、第１のコーナーという）に結合すると共に、ショルダーベルトの他端を第１のコーナーに対して対角線上に位置する他のコーナー（以下、第２のコーナーという）に結合し、更にショルダーベルトの中間部分をバッグ本体から離れない状態とするためのベルト保持部を上記第１及び第２のコーナーの間に位置する別のコーナー（以下、第３のコーナーという）に設け、上記第１のコーナーと第３のコーナーの間及び第３のコーナーと第２のコーナーの間には開閉可能な開口部をバッグ本体の外周に沿って設け、上記第１のコーナーから第３のコーナーまでバッグ本体の外周に沿わせた状態としたショルダーベルトを上記ベルト保持部で保持することにより、第３のコーナーと第２のコーナーの間にショルダーベルトの肩掛け部が形成され、また第２のコーナーから第３のコーナーまでバッグ本体の外周に沿わせた状態としたショルダーベルトを上記ベルト保持部で保持することにより、第３のコーナーと第１のコーナーの間にショルダーベルトの肩掛け部が形成されるようにしている。
【０００６】
上記の第３のコーナーに設けられるベルト保持部は、例えばショルダーベルトが挿通される貫通穴をバッグ本体に設けることによって形成され、あるいはベルト通しをバッグ本体にブリッジ状に外付けしてここにショルダーベルトを挿通できるようにすることによって形成される。
【０００７】
また、ベルト保持部で保持されたショルダーベルトが肩掛け部の方向に必要以上に移動することを阻止するために、ベルト止めを備えたものとすることができる。
【０００８】
また、上記開口部の開閉はスライドファスナーによって行うようにすることができ、この開口部は第１のコーナーと第３のコーナーの間及び第３のコーナーと第２のコーナーの間にそれぞれ独立して設けてもよく、あるいは第１のコーナーと第２のコーナーの間に第３のコーナーを経てＬ字状に連続して形成してもよい。
【０００９】
なお、この考案において「バッグ本体の主面」とは、バッグの形状を直方体と仮定した場合の最も面積の大きい面を指しており、コーナーとはこの主面の角に対応して形成されるバッグ本体の各コーナーを指している。但し、周知のようにショルダーバッグはそのデザインや構造はまちまちであって、場合によっては例えば２枚の主面の周囲を直接縫い合わせて要所に開口部を設けた直方体とは言い難い袋状のものもある。また革や布のような柔軟な材料で構成されるものが多く、一般にコーナーは丸みがあって極端なものでは楕円形に近いものもあるなど、純粋な直方体のものは希である。従って、この出願における「バッグ本体の主面が長方形または長方形に類する形状」という文言は、この考案の趣旨を逸脱しない範囲にある純粋な直方体以外の各種の形状のものも含む意味で用いており、「コーナー」も幾何学的なコーナーに限定されるものではない。
【考案の効果】
【００１０】
この考案によれば、ショルダーベルトの肩掛け部を第３のコーナーと第２のコーナーの間あるいは第３のコーナーと第１のコーナーの間のいずれにも形成できる。従って、バッグ本体を縦型とした状態及び横型とした状態を自由に選択して、縦型ショルダーバッグとして、あるいは横型ショルダーバッグとして任意に使用できるので便利である。
【００１１】
また、ベルト保持部がバッグ本体に設けた貫通穴あるいはバッグ本体に外付けされたベルト通しで形成されたものでは、ベルト保持部に挿通したショルダーベルトを単にスライドさせるだけで縦型と横型の切り替えができるので、切り替え操作が容易である。
【００１２】
また、ベルト止めを備えたものでは、ショルダーベルトが引っ張られても第１のコーナーあるいは第２のコーナーが第３のコーナーの方に引き寄せられることがないので、バッグ本体が柔軟な材料で構成されている場合でも、バッグ本体にしわができたり変形したりしないで所定の形状が保たれ、型くずれすることがない。
【００１３】
また、開口部の開閉をスライドファスナーによって行うようにしたものでは開閉操作が容易であり、第１のコーナーと第２のコーナーの間に連続した開口部を形成したものでは、開口部を大きく開放できて内容物の出し入れが容易となる。
【考案を実施するための最良の形態】
【００１４】
以下、この考案の一実施例について説明する。
【実施例】
【００１５】
図１は全体の外観を示す斜視図、図２はベルト保持部の他の一例を示す図、図３はショルダーベルトの使用状態の正面図であり、図において、１はショルダーバッグ、２はショルダーバッグ１のバッグ本体、３はショルダーベルトである。
【００１６】
バッグ本体２は主面となる前面板２ａとその反対側に位置する後面板２ｂ、及びこれらの外周を相互に連結する周面板２ｃによって構成されるほぼ直方体状のものであり、図１の右上側のコーナーが第１のコーナー４ａ、左下側のコーナーが第２のコーナー４ｂ、左上側のコーナーが第３のコーナー４ｃである。図１は直方体状のバッグ本体２を横長の状態で置いた場合を示しており、図では第１のコーナー４ａから第３のコーナー４ｃまでの上辺が第３のコーナー４ｃから第２のコーナー４ｂまでの側辺より長い横長形状となっている。また、周面板２ｃには前面板２ａの外周に近い部分に開口部５を設けてあり、この実施例では開口部５は第１のコーナー４ａと第２のコーナー４ｂの間に第３のコーナー４ｃを経て連続してＬ字状に形成し、これを開閉するスライドファスナー６を開口部５の全長にわたって設けてある。スライドファスナー６は開閉操作用のスライダー操作片６ａを２個備えている。なお、開口部５は第１のコーナー４ａと第３のコーナー４ｃの間、及び第３のコーナー４ｃと第２のコーナー４ｂの間に互いに独立した状態で別々に設けることもできる。
【００１７】
ショルダーベルト３は、その一端３ａを第１のコーナー４ａにおいて周面板２ｃに結合し、他端３ｂを第２のコーナー４ｂにおいて周面板２ｃに結合してある。この結合は周面板２ｃの側片部分と底片部分にそれぞれ縫い付けあるいは接着等の適宜の手段で行われるが、この結合は場合によってはショルダーベルト３の両端とバッグ本体２の所定の位置にそれぞれ係止具を設け、これらを連結することによって行うようにすることもできる。第３のコーナー４ｃには、周面板２ｃにその周面方向に貫通する貫通穴７ａを設けることによってベルト保持部７を形成してあり、この貫通穴７ａにショルダーベルト３が挿通されている。これにより、ショルダーベルト３はベルト保持部７の部分で長手方向にスライドできるが、バッグ本体２からは離れられない状態に保持されることになる。なおこのベルト保持部７は、図２に示すように例えばズボンのベルト通しと同様なブリッジ状のベルト通し７ｂを１個あるいは２個バッグ本体２に固定したものとしてもよい。
【００１８】
またショルダーベルト３には、第１のコーナー４ａから第３のコーナー４ｃのベルト保持部７までに相当する長さの位置、すなわちショルダーベルト３をバッグ本体２に沿って第１のコーナー４ａから直線状に伸ばした時に、ベルト保持部７に当接する位置に第１のベルト止め８ａを設け、第２のコーナー４ｂから第３のコーナー４ｃのベルト保持部７までに相当する長さの位置、すなわちショルダーベルト３をバッグ本体２に沿って第２のコーナー４ｂから直線状に伸ばした時に、ベルト保持部７に当接する位置に第２のベルト止め８ｂを設けてある。上記第１のベルト止め８ａは、例えば貫通穴を通過できない大きさのリング部材をショルダーベルト３に嵌めて適宜の手段で固定したものであり、第２のベルト止め８ｂはショルダーベルト３の長さ調節用のバックルをベルト止めとして兼用したものである。なおこのベルト止めは、例えばベルト保持部７に近い位置においてバッグ本体２とショルダーベルト３の双方の互いに対応する箇所にスナップボタンなどの係止部をそれぞれ設け、これを相互に係止させる構成によって実現することもできる。
【００１９】
この実施例は上述のように構成されており、例えばベルト保持部７の部分でスライドさせながらショルダーベルト３を図の上方向に引っ張り、第２のベルト止め８ｂがベルト保持部７に当接する状態にすると、ショルダーベルト３の左側の端部はバッグ本体２に沿って第２のコーナー４ｂから直線状に上向きに伸び、図３に実線で示すように第３のコーナー４ｃと第１のコーナー４ａとの間に逆Ｕ字状の肩掛け部３ｃが形成される。従って、この状態ではバッグ本体２は横長となり、横型のショルダーバッグ１として使用することができるのである。
【００２０】
一方、ショルダーベルト３を図３の左方向に引っ張り、第１のベルト止め８ａがベルト保持部７に当接する状態にすると、ショルダーベルト３の右側の端部はバッグ本体２に沿って第１のコーナー４ａから直線状に横向きに伸び、図３に鎖線で示すように第３のコーナー４ｃと第２のコーナー４ｂとの間に逆Ｕ字状の肩掛け部３ｃが形成される。従って、この状態ではバッグ本体２は縦長となり、縦型のショルダーバッグ１として使用できることになる。
【００２１】
このような使用状態では、ベルト止め８ａあるいは８ｂがベルト保持部７に当接していて、ショルダーベルト３に対する引っ張り力がベルト保持部７で受け止められることになるので、ショルダーベルト３が引っ張られてもそれ以上移動することがなく、コーナー４ａあるいは４ｂがコーナー４ｃの方に引き寄せられることはない。このため、バッグ本体２が革や布のような柔軟な材料で構成されている場合でも、バッグ本体２が変形してしわができたりすることがなく、所定の形状が保たれるので、型くずれしてデザインが損なわれるような不具合が防止される。
【００２２】
上記において、横型のショルダーバッグとして使用する時には、開口部５の第１のコーナー４ａと第３のコーナー４ｃの間にある部分を開閉し、縦型のショルダーバッグとして使用する時には、開口部５の第２のコーナー４ｂと第３のコーナー４ｃの間にある部分を開閉すればよいのであるが、この実施例のように、開口部５を第１のコーナー４ａと第２のコーナー４ｂの間に連続してＬ字状に形成したものでは、第３のコーナー４ｃを超える位置まで開放することができるので、開口部５を大きく開いて内容物の出し入れを容易に行うことができる。
【００２３】
なお、図示の実施例では前面板２ａに近い部分に開口部５を設けてあるがこれは一例であり、例えば開口部５を前面板２ａと後面板２ｂの間のほぼ中央部分に設け、ショルダーベルト３を後面板２ｂ寄りに取り付けるなど、その位置は適宜選定することができる。またこの考案は長いショルダーベルト３を備えたいわゆる斜め掛けショルダーバッグに適用できることはもちろんである。また、バッグ本体２の内部に内袋を設けたり、バッグ本体２の内面や外面にポケットを設けたりすることも任意であり、縦横兼用の機能を害さない範囲で必要に応じて各種の形態を適宜採用することができる。
【産業上の利用可能性】
【００２４】
この考案のショルダーバッグは、従来のショルダーバッグと全く同様に一般的な用途に広く使用することができる。
【図面の簡単な説明】
【００２５】
【図１】この考案に係るショルダーバッグの一実施例の斜視図である。
【図２】同上のベルト保持部の他の一例を示す図である。
【図３】同上の使用状態を示す正面図である。
【符号の説明】
【００２６】
１  ショルダーバッグ
２  バッグ本体
２ａ  前面板（主面）
２ｂ  後面板
２ｃ  周面板
３  ショルダーベルト
３ｃ  肩掛け部
４ａ  第１のコーナー
４ｂ  第２のコーナー
４ｃ  第３のコーナー
５  開口部
６  スライドファスナー
７  ベルト保持部
７ａ  貫通穴
７ｂ  ベルト通し
８ａ  第１のベルト止め
８ｂ  第２のベルト止め
【図１】
0003125699.tif 000003
【図２】
0003125699.tif 000004
【図３】
0003125699.tif 000005